(57)【要約】【課題】  スキャナハウジングがプリンタハウジングに揺動可能に連結され、更に原稿カバーがスキャナハウジングに揺動可能に連結されている場合において、スキャナハウジングと原稿カバーとが同時に開姿勢にならない画像入出力装置を提供する。【解決手段】  本発明の画像入出力装置は、プリンタハウジングと、プリンタハウジングの上方を覆う閉姿勢と上方を開放する開姿勢とに揺動可能にプリンタハウジングに連結されているスキャナハウジングと、スキャナハウジングに連結されている原稿カバーと、スキャナハウジングが閉姿勢の状態で原稿カバーを開姿勢にするとスキャナハウジングをプリンタハウジングにロックする第一のロック手段と、原稿カバーが閉姿勢の状態でスキャナハウジングを開姿勢にすると原稿カバーをスキャナハウジングにロックする第二のロック手段と、を備える。【選択図】    図１
2006042003.tif 000002
【特許請求の範囲】
【請求項１】
印刷媒体に画像を印刷する印刷手段を収容しているプリンタハウジングと、
前記プリンタハウジングの上方を覆う閉姿勢と上方を開放する開姿勢とに揺動可能に前記プリンタハウジングに連結されているスキャナハウジングであって、原稿が載置される透明な原稿台を有し、前記原稿台上に載置されている原稿を読み取って画像データを出力する画像読み取り手段を収容しているスキャナハウジングと、
前記原稿台を覆う閉姿勢と開放する開姿勢とに揺動可能に前記スキャナハウジングに連結されている原稿カバーと、
前記スキャナハウジングが閉姿勢の状態で前記原稿カバーを開姿勢にすると前記スキャナハウジングを前記プリンタハウジングにロックする第一のロック手段と、
前記原稿カバーが閉姿勢の状態で前記スキャナハウジングを開姿勢にすると前記原稿カバーを前記スキャナハウジングにロックする第二のロック手段と、
を備えることを特徴とする画像入出力装置。
【請求項２】
前記原稿カバーはオートドキュメントフィーダが一体に設けられていることを特徴とする請求項１に記載の画像入出力装置。
【請求項３】
前記第一のロック手段は前記スキャナハウジングに軸支される第一の回動部材を有し、
前記第一の回動部材は一端部に第一のフックを有し、前記原稿カバーを閉姿勢にすると前記第一のフックと前記プリンタハウジングとの係合が外れ、前記原稿カバーを開姿勢にすると前記第一のフックと前記プリンタハウジングとが係合することを特徴とする請求項１又は２に記載の画像入出力装置。
【請求項４】
前記原稿カバーを閉姿勢にすると前記第一の回動部材は前記原稿カバーに他端部を押されて回動し、その回動によって前記第一のフックと前記プリンタハウジングとの係合が外れることを特徴とする請求項３に記載の画像入出力装置。
【請求項５】
前記第一のロック手段は前記第一の回動部材を付勢する第一の付勢手段を有し、前記原稿カバーを開姿勢にすると前記第一の回動部材は前記第一の付勢手段に付勢されて前記第一のフックと前記プリンタハウジングとが係合する方向に回動し、その回動によって前記第一のフックと前記プリンタハウジングとが係合することを特徴とする請求項３又は４に記載の画像入出力装置。
【請求項６】
前記第一の付勢手段はコイルばねであることを特徴とする請求項５に記載の画像入出力装置。
【請求項７】
前記第二のロック手段は前記スキャナハウジングに軸支される第二の回動部材を有し、
前記第二の回動部材は一端部に第二のフックを有し、前記スキャナハウジングを閉姿勢にすると前記第二のフックと前記原稿カバーとの係合が外れ、前記スキャナハウジングを開姿勢にすると前記第二のフックと前記原稿カバーとが係合することを特徴とする請求項１〜５のいずれか一項に記載の画像入出力装置。
【請求項８】
前記スキャナハウジングを閉姿勢にすると前記第二の回動部材は前記プリンタハウジングに他端部を押されて回動し、その回動によって前記第二のフックと前記原稿カバーとの係合が外れることを特徴とする請求項７に記載の画像入出力装置。
【請求項９】
前記第二のロック手段は前記第二の回動部材を付勢する第二の付勢手段を有し、前記スキャナハウジングを開姿勢にすると前記第二の回動部材は前記第二の付勢手段に付勢されて前記第二のフックと前記原稿カバーとが係合する方向に回動し、その回動によって前記第二のフックと前記原稿カバーとが係合することを特徴とする請求項７又は８に記載の画像入出力装置。
【請求項１０】
前記第二の付勢手段はコイルばねであることを特徴とする請求項９に記載の画像入出力装置。
【発明の詳細な説明】
【技術分野】
【０００１】
本発明は、画像入出力装置に関する。
【背景技術】
【０００２】
プリンタハウジングと、プリンタハウジングの上方を覆う閉姿勢と上方を開放する開姿勢とに揺動可能にプリンタハウジングに連結されるスキャナハウジングと、スキャナハウジングが有する原稿台を覆う閉姿勢と開放する開姿勢とに揺動可能にスキャナハウジングに連結される原稿カバーとを備える画像入出力装置が知られている。スキャナハウジングを揺動可能に連結すると、スキャナハウジングを揺動してプリンタハウジングの上方を開放することでインクカートリッジやトナーカートリッジの交換、あるいは用紙ジャムの解除などの作業を行うことができる。
【０００３】
こうした画像入出力装置の中には、プリンタハウジングとスキャナハウジングとの間に空間を確保しているものもある。プリンタハウジングとスキャナハウジングとの間に空間を確保するとプリンタハウジングの上壁を排紙トレイとして利用することが可能になる。プリンタハウジングの上壁を排紙トレイとして利用する場合、上壁をプリンタハウジングに揺動可能に連結すれば、上壁を開くことによってインクカートリッジやトナーカートリッジの交換、あるいは用紙ジャムの解除などの作業を行うことができる。上壁を開いて作業を行う場合、スキャナハウジングを開姿勢に揺動するとプリンタハウジングの上方が開放されて上壁を大きく開くことができるため、作業性が向上する。
【発明の開示】
【発明が解決しようとする課題】
【０００４】
しかしながら、原稿台が揺動可能に連結されているスキャナハウジングをプリンタハウジングに揺動可能に連結すると、原稿カバーを開いた状態で誤ってスキャナハウジングを開いてしまったり、原稿カバーを閉じた状態でスキャナハウジングを開いたときに開いた勢いや原稿カバーの自重で原稿カバーが開いてしまったりすることがあり、画像入出力装置の後方に通路があれば原稿カバーが人にぶつかる危険があり、後方に壁があれば原稿カバーが壁にぶつかって破損する畏れがある。ここで「開く」とは閉姿勢から開姿勢に揺動することをいい、「閉じる」とは開姿勢から閉姿勢に揺動することをいうものとする。
【０００５】
図１６は、従来の画像入出力装置の一例を示す側面図である。図１６ではプリンタハウジング６１とスキャナハウジング６２との間に空間が確保されている画像入出力装置６０を示している。従来の画像入出力装置６０は図示するようにスキャナハウジング６２を開いた状態で更に原稿カバー６３を開くことができる。スキャナハウジング６２を開いた状態で更に原稿カバー６３を開くと図示するように原稿カバー６３がプリンタハウジング６１の後方に大きく張り出す。図示する姿勢は原稿カバー６３を開いた状態でスキャナハウジング６２を開いたときに起きる他、原稿カバー６３を閉じた状態でスキャナハウジング６２を開いたときにも起きる。具体的には、原稿カバー６３を閉じた状態でスキャナハウジング６２を開くと、スキャナハウジング６２を開いた勢いあるいは自重によって原稿カバー６３が開くことがある。特に原稿カバー６３にオートドキュメントフィーダや透過原稿用光源を備える場合は原稿カバー６３が重くなるため、スキャナハウジング６２を開いたとき原稿カバー６３が自重によって開き易くなる。
【０００６】
本発明は、かかる問題に鑑みて創作されたものであって、スキャナハウジングがプリンタハウジングに揺動可能に連結され、更に原稿カバーがスキャナハウジングに揺動可能に連結されている場合において、スキャナハウジングと原稿カバーとが同時に開姿勢にならない画像入出力装置を提供することにある。
【課題を解決するための手段】
【０００７】
上記目的を達成するため、本発明に係る画像入出力装置は、印刷媒体に画像を印刷する印刷手段を収容しているプリンタハウジングと、前記プリンタハウジングの上方を覆う閉姿勢と上方を開放する開姿勢とに揺動可能に前記プリンタハウジングに連結されているスキャナハウジングであって、原稿が載置される透明な原稿台を有し、前記原稿台上に載置されている原稿を読み取って画像データを出力する画像読み取り手段を収容しているスキャナハウジングと、前記原稿台を覆う閉姿勢と開放する開姿勢とに揺動可能に前記スキャナハウジングに連結されている原稿カバーと、前記スキャナハウジングが閉姿勢の状態で前記原稿カバーを開姿勢にすると前記スキャナハウジングを前記プリンタハウジングにロックする第一のロック手段と、前記原稿カバーが閉姿勢の状態で前記スキャナハウジングを開姿勢にすると前記原稿カバーを前記スキャナハウジングにロックする第二のロック手段と、を備える。この画像入出力装置によると、スキャナハウジングが閉姿勢の状態で原稿カバーを開姿勢にすると、スキャナハウジングを開姿勢に揺動することができなくなる。また、原稿カバーが閉姿勢の状態でスキャナハウジングを開姿勢にすると、原稿カバーを開姿勢に揺動することができなくなる。よってこの画像入出力装置によると、スキャナハウジングと原稿カバーとが同時に開姿勢にならない。
【０００８】
さらに本発明に係る画像入出力装置では、前記原稿カバーはオートドキュメントフィーダが一体に設けられている。
さらに本発明に係る画像入出力装置では、前記第一のロック手段は前記スキャナハウジングに軸支される第一の回動部材を有し、前記第一の回動部材は一端部に第一のフックを有し、前記原稿カバーを閉姿勢にすると前記第一のフックと前記プリンタハウジングとの係合が外れ、前記原稿カバーを開姿勢にすると前記第一のフックと前記プリンタハウジングとが係合する。この画像入出力装置によると、原稿カバーの開閉に連動してスキャナハウジングをロック及びロック解除できる。
【０００９】
さらに本発明に係る画像入出力装置では、前記原稿カバーを閉姿勢にすると前記第一の回動部材は前記原稿カバーに他端部を押されて回動し、その回動によって前記第一のフックと前記プリンタハウジングとの係合が外れる。
さらに本発明に係る画像入出力装置では、前記第一のロック手段は前記第一の回動部材を付勢する第一の付勢手段を有し、前記原稿カバーを開姿勢にすると前記第一の回動部材は前記第一の付勢手段に付勢されて前記第一のフックと前記プリンタハウジングとが係合する方向に回動し、その回動によって前記第一のフックと前記プリンタハウジングとが係合する。この画像入出力装置によると、原稿カバーを開姿勢にしたとき第一のフックをより確実にプリンタハウジングと係合させることができる。
【００１０】
さらに本発明に係る画像入出力装置では、前記第一の付勢手段はコイルばねである。
さらに本発明に係る画像入出力装置では、前記第二のロック手段は前記スキャナハウジングに軸支される第二の回動部材を有し、前記第二の回動部材は一端部に第二のフックを有し、前記スキャナハウジングを閉姿勢にすると前記第二のフックと前記原稿カバーとの係合が外れ、前記スキャナハウジングを開姿勢にすると前記第二のフックと前記原稿カバーとが係合する。この画像入出力装置によると、スキャナハウジングの開閉に連動して原稿カバーをロック及びロック解除できる。
【００１１】
さらに本発明に係る画像入出力装置では、前記スキャナハウジングを閉姿勢にすると前記第二の回動部材は前記プリンタハウジングに他端部を押されて回動し、その回動によって前記第二のフックと前記原稿カバーとの係合が外れる。
さらに本発明に係る画像入出力装置では、前記第二のロック手段は前記第二の回動部材を付勢する第二の付勢手段を有し、前記スキャナハウジングを開姿勢にすると前記第二の回動部材は前記第二の付勢手段に付勢されて前記第二のフックと前記原稿カバーとが係合する方向に回動し、その回動によって前記第二のフックと前記原稿カバーとが係合する。この画像入出力装置によると、スキャナハウジングを開姿勢にしたとき第二のフックをより確実に原稿カバーと係合させることができる。
【００１２】
さらに本発明に係る画像入出力装置では、前記第二の付勢手段はコイルばねである。
【発明を実施するための最良の形態】
【００１３】
以下、本発明を実施するための最良の形態を実施例に基づいて説明する。以降の説明において「スキャナハウジングを開く」とは、スキャナハウジングを閉姿勢から開姿勢に揺動することをいい、「スキャナハウジングを閉じる」とは、スキャナハウジングを開姿勢から閉姿勢に揺動することをいうものとする。原稿カバーについても同様である。
【００１４】
図２は本発明の一実施例に係る画像入出力装置としての複合機１の斜視図であり、図３は複合機１の側面図である。複合機１はプリンタハウジング１０、スキャナハウジング１１、及び原稿カバー１２を備えている。
プリンタハウジング１０は上方に突出する支持部１３を有しており、スキャナハウジング１１はヒンジにより支持部１３に連結されている。本実施例ではスキャナハウジング１１は水平方向に延びる揺動軸線周りに揺動するように連結されており、図３に示すようにプリンタハウジング１０の上方を覆う閉姿勢と、図１５に示すように上方を開放する開姿勢とに揺動可能である。上方に突出する支持部１３にスキャナハウジング１１を連結すると図３に示すようにプリンタハウジング１０とスキャナハウジング１１との間に空間が確保され、図２に示すようにプリンタハウジング１０の上壁１４を排紙トレイとして利用することが可能になる。上壁１４を排紙トレイとして利用すると、例えば板状の排紙トレイをプリンタハウジング１０の側壁から斜め上に延びるように設ける場合に比べて複合機１を小型にできる。上壁１４はプリンタハウジング１０に揺動可能に連結されている。インクカートリッジやトナーカートリッジの交換、あるいは用紙ジャムの解除などの作業を行うときは上壁１４を開いて行う。スキャナハウジング１１を揺動可能に連結すると、上壁１４を開いて作業を行うときスキャナハウジング１１を開姿勢に揺動してプリンタハウジング１０の上方を開放することで上壁１４を大きく開くことができるため、作業性が向上する。なお、プリンタハウジング１０とスキャナハウジング１１との間の空間は不要であれば確保する必要はない。
【００１５】
スキャナハウジング１１は上方が開口した箱形に形成されている。第一の原稿台１５（図１４参照）はガラス板などの透明な板で形成され、スキャナハウジング１１の開口を閉塞している。
図４は、複合機１の模式図である。
原稿カバー１２はヒンジにより第一の原稿台１５の盤面を開放する姿勢と第一の原稿台１５の盤面を覆う姿勢とに揺動可能にスキャナハウジング１１に連結されている。本実施例では原稿カバー１２は水平方向に延びる揺動軸線周りに揺動するように連結されており、図３に示すように第一の原稿台１５を覆う閉姿勢と、図１４に示すように第一の原稿台１５を開放する開姿勢とに揺動可能である。原稿カバー１２は第一の原稿台１５に載置された原稿Ｍを押さえるとともに、光源２３の放射光以外の光が原稿Ｍを照らすことがないよう第一の原稿台１５を覆うものである。本実施例の原稿カバー１２にはオートシートフィーダ（ＡＤＦ）１８が一体に設けられている。ＡＤＦ１８は複数の読み取り対象の原稿を一括して載置するための第二の原稿台１７、第二の原稿台１７に載置された原稿を１枚ずつ搬送するローラ１９、ローラ１９を回転させるモータ、制御回路などで構成されている。
【００１６】
スキャナハウジング１１には画像読み取り手段としてのスキャナ部２０が収容されている。スキャナ部２０は、キャリッジ２１、リニアイメージセンサ２２を実装した走査回路基板２６、光源２３、レンズ２４、ミラー２５、図示しない副走査駆動部などを備える。キャリッジ２１はスキャナハウジング１１に固定された棒状のキャリッジガイド２７に摺動自在に支持されており、副走査駆動部によってキャリッジガイド２７の軸線方向に往復移動する。リニアイメージセンサ２２を実装した走査回路基板２６、光源２３、レンズ２４、及びミラー２５はキャリッジ２１に搭載されている。光源２３は第一の原稿台１５上に載置されている原稿の走査線近傍を照射し、ミラー２５及びレンズ２４は照射された原稿の走査線上の反射光像をリニアイメージセンサ２２の受光面に結像させる。リニアイメージセンサ２２は、ＲＧＢ各色の受光素子が図４において紙面垂直方向に直線状に並ぶ姿勢で走査回路基板２６に搭載されている。リニアイメージセンサ２２は受光面に結像された光学像の濃淡に相関する電気信号を出力する。走査回路基板２６にはリニアイメージセンサ２２及び光源２３を駆動する回路、ＡＤ変換回路等が実装されている。第二の原稿台１７に載置された原稿を読み取る場合、副走査駆動部はキャリッジ２１を図４において破線で示す位置に移動させる。後述する制御部がＡＤＦ１８を制御して原稿Ｎを搬送することでリニアイメージセンサ２２と原稿Ｎとが相対移動するため、二次元画像の走査が可能となる。
【００１７】
プリンタハウジング１０には印刷手段としてのプリンタ部３０が収容されている。プリンタ部３０はモノクロレーザー方式により印刷媒体に画像を印刷する。尚、本実施例ではモノクロレーザー方式により印刷を行う場合を例に説明するが、カラーレーザー方式、インクジェット方式、ドットインパクト方式などで印刷を行うものであってもよい。プリンタ部３０は感光ドラム３１、チャージローラ３２、レーザー発信器３３、トナーカートリッジ３４、転写ローラ３５、プレッシャーロール３６、ヒートロール３７、クリーナーユニット３８、図示しない用紙搬送部などを備える。チャージローラ３２は感光ドラム３１を帯電させ、レーザー発信器３３はレーザー光を発光して感光ドラム３１上に静電潜像を形成する。トナーカートリッジ３４にはマグネットローラとトナーとが収容されており、マグネットローラで感光ドラム３１にトナーを付着させることにより静電潜像を現像する。印刷媒体としての印刷用紙３９は図示しない用紙搬送部によって搬送され、転写ローラ３５は電気力によりトナーを感光ドラム３１から印刷用紙３９に転写する。ヒートロール３７は転写されたトナーを熱で溶かして印刷用紙３９に定着させ、プレッシャーロール３６は印刷用紙３９に圧力を加えてトナーを圧着させる。クリーナーユニット３８は印刷用紙に転写しきれなかった感光ドラム３１上の残留トナーを除去する。印刷された印刷用紙３９は用紙搬送部によって上壁１４に排出される。
【００１８】
プリンタハウジング１０には図示しない制御部が収容されている。制御部は画像読み取り手段としても印刷手段としても機能する。制御部はスキャナ部２０を制御して原稿を読み取らせ、走査回路基板２６から出力される信号にガンマ補正、シェーディング補正などを施して画像データを作成する。また、制御部は画像データにハーフトーン処理、解像度変換処理、色空間の変換処理、インターレース処理等を施して印刷データを作成し、作成した印刷データに基づいてプリンタ部３０を制御してディジタル画像を印刷させる。
【００１９】
次に、原稿カバー１２のロックについて説明する。
図５は、第一の回動部材４１を示す斜視図である。第一の回動部材４１は僅かに「く」の字状に曲がる長細い金属の板であり、長手方向の中心付近にシャフト４２が貫設されている。シャフト４２はスキャナハウジング１１の内部でスキャナハウジング１１に軸支され、それにより第一の回動部材４１がスキャナハウジング１１に回動可能に軸支される。第一の回動部材４１の一端部４１ａには第一のフック４３が形成されており、他端部４１ｂには円形の部材４４が回動可能に設けられている。円形の部材４４の直径は第一の回動部材４１の短手方向の幅より大きい。シャフト４２と第一のフック４３との間には開口４５が形成されており、第一の付勢手段としてのコイルばね４６は図示するように一端部が開口４５に掛けて止められる。コイルばね４６の他端部は図６に示すようにスキャナハウジング１１の内部でスキャナハウジング１１に掛けて止められる。
【００２０】
図６はスキャナハウジング１１の支持部１３周辺の模式図であり、図７はスキャナハウジング１１の支持部１３周辺の斜視図である。図６及び図７はともに原稿カバー１２が閉じた状態のスキャナハウジング１１を示している。図６では円形の部材４４は省略している。また、スキャナハウジング１１は上部と下部との２部材で構成されており、図７はスキャナハウジング１１の上部や説明に不要なその他の部材を省略して示している。図７に示すように原稿カバー１２には三角形状のレバー４８が下方に突出するように設けられている。支持部１３には第一のフック４３に係合する板状の第一の係合部４９が水平に設けられている。原稿カバー１２を閉じるとレバー４８は第一の回動部材４１の他端部に設けられている円形の部材を押し、それにより第一の回動部材４１は図６に示すようにコイルばね４６の付勢力に抗して第一のフック４３と第一の係合部４９との係合が外れる方向に回動する。ここで図６に示すＸ方向は第一のフック４３と第一の係合部４９との係合が外れる方向を示している。第一の回動部材４１がＸ方向に回動すると第一のフック４３と第一の係合部４９との係合が外れ、スキャナハウジング１１はロックが解除された状態となる。従ってこの状態のときスキャナハウジング１１を開くことができる。すなわち、原稿カバー１２を閉じているときはスキャナハウジング１１を開くことができる。
【００２１】
図１はスキャナハウジング１１の支持部１３周辺の模式図であり、図８はスキャナハウジング１１の支持部１３周辺の斜視図である。図１及び図８はともに原稿カバー１２が開いた状態のスキャナハウジング１１を示している。図１では円形の部材４４は省略している。図８は図７と同様に説明に不要な部材を省略して示している。原稿カバー１２を開くとレバー４８が上方に移動して他端部がレバー４８に押されなくなり、第一の回動部材４１は図１に示すようにコイルばね４６に引っ張られて反Ｘ方向に回動し、それにより第一のフック４３と第一の係合部４９とが係合する。なお、コイルばね４６の代わりに例えばゴムを用いてもよい。特許請求の範囲に記載の「第一のロック手段」は、第一の回動部材４１及び第一の係合部４９に相当する。第一のフック４３と第一の係合部４９とが係合しているためスキャナハウジング１１はプリンタハウジング１０の支持部１３にロックされており、従ってこの状態のときスキャナハウジング１１を開くことはできない。すなわち、原稿カバー１２を開いているときはスキャナハウジング１１を開くことはできない。なお、本実施例では原稿カバー１２を開いたときコイルばね４６を用いて第一の回動部材４１を反Ｘ方向に回動させているが、コイルばね４６を用いず第一の回動部材４１が自重で回動することによって第一のフック４３と第一の係合部４９とが係合するようにしてもよい。コイルばね４６を用いると原稿カバー１２を開姿勢にしたとき第一のフック４３を素早く第一の係合部４９と係合させることができるため、より確実に係合させることができる。
【００２２】
次に、スキャナハウジング１１のロックについて説明する。
図９は、第二の回動部材５０を示す斜視図である。第二の回動部材５０も長細い金属の板であり、長手方向の中心付近にシャフト５１が貫設されている。第二の回動部材５０のシャフト５１もスキャナハウジング１１の内部でスキャナハウジング１１に軸支され、それにより第二の回動部材５０がスキャナハウジング１１に回動可能に軸支される。第二の回動部材５０の一端部５０ａには第二のフック５２が形成されている。第二の回動部材５０の他端部５０ｂはＬ字形状に形成されている。他端部５０ｂは図示するように９０度折り曲げられ、更に先端部分がシャフト５１側に１８０度曲げられて折り返されている。シャフト５１と他端部５０ｂとの間には開口５３が形成されており、第二の付勢手段としてのコイルばね５４は図示するように一端部が開口５３に掛けて止められる。コイルばね５４の他端部は図１０に示すようにスキャナハウジング１１の内部でスキャナハウジング１１に掛けて止められる。
【００２３】
図１０はスキャナハウジング１１の支持部１３周辺の模式図であり、図１１はスキャナハウジング１１の支持部１３周辺の斜視図である。なお、図１０に示す原稿カバー１２は図１に示す原稿カバー１２とは異なる断面を模式的に示している。このため、図１０と図１とでは原稿カバー１２の形状は異なっている。図１０及び図１１はともに原稿カバー１２が閉じた状態のスキャナハウジング１１を示している。図１１はスキャナハウジング１１や説明に不要なその他の部材を省略して示している。図１１に示すように原稿カバー１２には第二の係合部５５が下方に突出するように設けられている。第二の係合部５５は２つの側壁部を有し、それら二つの側壁部の間には図１０に示すように段部５６が形成されている。スキャナハウジング１１を閉じると第二の回動部材５０の他端部５０ｂが支持部１３に当接して押し返され、それにより第二の回動部材５０は図１０に示すようにコイルばね５４の付勢力に抗して第二のフック５２と段部５６との係合が外れる方向に回動する。ここで図１０に示すＸ方向は第二のフック５２と段部５６との係合が外れる方向を示している。第二の回動部材５０がＸ方向に回動すると第二のフック５２と段部５６との係合が外れ、原稿カバー１２はロックが解除された状態となる。従ってこの状態のとき原稿カバー１２を開くことができる。すなわち、スキャナハウジング１１を閉じているときは原稿カバー１２を開くことができる。
【００２４】
図１２はスキャナハウジング１１の支持部１３周辺の模式図であり、図１３はスキャナハウジング１１の支持部１３周辺の斜視図である。図１２及び図１３はともに開いた状態のスキャナハウジング１１を示している。また、図１３は図１１と同様に上部や説明に不要なその他の部材を省略して示している。スキャナハウジング１１を開くと第二の回動部材５０は図１２に示すようにコイルばね５４に引っ張られて反Ｘ方向に回動し、それにより第二のフック５２と段部５６とが係合する。なお、コイルばね５４の代わりに例えばゴムを用いてもよい。特許請求の範囲に記載の「第二のロック手段」は、第二の回動部材５０及び第二の係合部５５に相当する。第二のフック５２と段部５６とが係合しているため原稿カバー１２はスキャナハウジング１１にロックされており、従ってこの状態のとき原稿カバー１２を開くことはできない。すなわち、スキャナハウジング１１を開いているときは原稿カバー１２を開くことはできない。なお、本実施例では原稿カバー１２を開いたときコイルばね５４を用いて第二の回動部材５０を反Ｘ方向に回動させているが、コイルばね５４を用いず第二の回動部材５０が自重で回動することによって第二のフック５２と第二の係合部５５とが係合するようにしてもよい。コイルばね５４を用いるとスキャナハウジング１１を開姿勢にしたとき第二のフック５２を素早く原稿カバー１２と係合させることができるため、より確実に係合させることができる。
【００２５】
次に、原稿カバー１２及びスキャナハウジング１１の開閉について説明する。
前述した図３に示す状態は原稿カバー１２及びスキャナハウジング１１がともに閉じた状態である。図３に示す状態のとき原稿カバー１２及びスキャナハウジング１１はどちらもロックされておらず、この状態から原稿カバー１２又はスキャナハウジング１１のいずれか一方を開くことができる。
【００２６】
図１４は、原稿カバー１２が開姿勢にありスキャナハウジング１１が閉姿勢にあるときの複合機１の側面図である。原稿カバー１２を開いて開姿勢にするとスキャナハウジング１１はプリンタハウジング１０にロックされ、この状態でスキャナハウジング１１を開くことはできない。
図１５は、スキャナハウジング１１が開姿勢にあり原稿カバー１２が閉姿勢にあるときの複合機１の側面図である。スキャナハウジング１１を開くと原稿カバー１２はスキャナハウジング１１にロックされ、この状態で原稿カバー１２を開くことはできない。
【００２７】
以上説明した本発明の一実施例に係る複合機１によると、スキャナハウジング１１を閉じた状態で原稿カバー１２を開くとスキャナハウジング１１を開くことができなくなる。また、原稿カバー１２を閉じた状態でスキャナハウジング１１を開くと原稿カバー１２を開くことができなくなる。よって複合機１によると、スキャナハウジング１１と原稿カバー１２とが同時に開姿勢にならない。従って原稿カバーを開いた状態で誤ってスキャナハウジング１１を開いてしまったり、スキャナハウジング１１を開いたときに開いた勢いや原稿カバー１２の自重で原稿カバー１２が開いてしまったりすることがない。このため、複合機１の後方に通路があっても原稿カバー１２が人にぶつかる危険がなく、また後方に壁があっても原稿カバー１２が壁にぶつかって破損する畏れがない。
【００２８】
尚、本実施例では原稿カバー１２がＡＤＦ１８を備える場合を例に説明したが、原稿カバー１２を箱状に形成し、透過原稿用光源を原稿カバー１２に収容してもよい。また、原稿カバー１２はＡＤＦ１８や透過原稿用光源を備えていなくてもよい。
また、本実施例では第一の回動部材４１を原稿カバー１２で押したりコイルばね４６で引っ張ったりすることで回動させているが、第一の回動部材４１を電気力によって回動させてもよい。第二の回動部材５０についても同様である。
【図面の簡単な説明】
【００２９】
【図１】本発明の一実施例に係るスキャナハウジングの模式図。
【図２】本発明の一実施例に係る画像入出力装置の斜視図。
【図３】本発明の一実施例に係る画像入出力装置の側面図。
【図４】本発明の一実施例に係る画像入出力装置の模式図。
【図５】本発明の一実施例に係る第一の回動部材を示す斜視図。
【図６】本発明の一実施例に係るスキャナハウジングの模式図。
【図７】本発明の一実施例に係るスキャナハウジングの斜視図。
【図８】本発明の一実施例に係るスキャナハウジングの斜視図。
【図９】本発明の一実施例に係る第二の回動部材を示す斜視図。
【図１０】本発明の一実施例に係るスキャナハウジングの模式図。
【図１１】本発明の一実施例に係るスキャナハウジングの斜視図。
【図１２】本発明の一実施例に係るスキャナハウジングの模式図。
【図１３】本発明の一実施例に係るスキャナハウジングの斜視図。
【図１４】本発明の一実施例に係る画像入出力装置の側面図。
【図１５】本発明の一実施例に係る画像入出力装置の側面図。
【図１６】従来の画像入出力装置の側面図。
【符号の説明】
【００３０】
１  複合機（画像入出力装置）、１０  プリンタハウジング、１１  スキャナハウジング、１２  原稿カバー、１５  第一の原稿台（原稿台）、１８  オートドキュメントフィーダ、２０  スキャナ部（画像読み取り手段）、３０  プリンタ部（印刷手段）、４１  第一の回動部材（第一のロック手段）、４３  第一のフック、４６  コイルばね（第一の付勢手段）、４９  第一の係合部（第一のロック手段）、５０  第二の回動部材（第二のロック手段）、５２  第二のフック、５４  コイルばね（第二の付勢手段）、５５  第二の係合部（第二のロック手段）
【図１】
2006042003.tif 000003
【図２】
2006042003.tif 000004
【図３】
2006042003.tif 000005
【図４】
2006042003.tif 000006
【図５】
2006042003.tif 000007
【図６】
2006042003.tif 000008
【図７】
2006042003.tif 000009
【図８】
2006042003.tif 000010
【図９】
2006042003.tif 000011
【図１０】
2006042003.tif 000012
【図１１】
2006042003.tif 000013
【図１２】
2006042003.tif 000014
【図１３】
2006042003.tif 000015
【図１４】
2006042003.tif 000016
【図１５】
2006042003.tif 000017
【図１６】
2006042003.tif 000018